(57)【要約】【課題】フィーチャー・ライセンスの移転を管理するためのシステムを提供する。【解決手段】一実施形態によれば、システム（２００）は、第１のユーティリティ・メータ（２２２）及び第２のユーティリティ・メータ（２２４）に通信接続された演算装置（２１０）を含み、該演算装置は、第１のユーティリティ・メータ及び第２のユーティリティ・メータについてのフィーチャー・ライセンス・データ（４３４）を取得し、第１のユーティリティ・メータから第２のユーティリティ・メータへ移転させるべきフィーチャー・ライセンス（２３０）の選択を受け取り、選択されたフィーチャー・ライセンスを第１のユーティリティ・メータから第２のユーティリティ・メータへ移転させることによって、第１のユーティリティ・メータと第２のユーティリティ・メータとの間でのフィーチャー・ライセンスの移転を管理するように構成される。【選択図】図２
2012239172.tif 000002
【特許請求の範囲】
【請求項１】
第１のユーティリティ・メータ（１０２，２２２，２２４，２２６，２２８）及び第２のユーティリティ・メータ（１０２，２２２，２２４，２２６，２２８）に通信接続された演算装置（２１０，４００，４０２，４１４）を含んでいるシステム（２００，２０７，４００，４０２）であって、
前記演算装置（２１０，４００，４０２，４１４）は、次の行為、すなわち、
（イ）  前記第１のユーティリティ・メータ（１０２，２２２，２２４，２２６，２２８）及び前記第２のユーティリティ・メータ（１０２，２２２，２２４，２２６，２２８）についてのフィーチャー・ライセンス・データ（４３４）を取得する行為、
（ロ）  前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る行為、及び
（ハ）  前記選択されたフィーチャー・ライセンス（２３０）を前記第１のユーティリティ・メータ（１０２，２２２，２２４，２２６，２２８）から前記第２のユーティリティ・メータ（１０２，２２２，２２４，２２６，２２８）へ移転させる行為
を遂行することによって、前記第１のユーティリティ・メータ（１０２，２２２，２２４，２２６，２２８）と前記第２のユーティリティ・メータ（１０２，２２２，２２４，２２６，２２８）との間でのフィーチャー・ライセンス（２３０）の移転を管理するように構成されていること、
を特徴とするシステム（２００，２０７，４００，４０２）。
【請求項２】
前記フィーチャー・ライセンス（２３０）が、ユーティリティ・ネットワーク（２２０）を介して前記第１のユーティリティ・メータ（１０２，２２２，２２４，２２６，２２８）から前記第２のユーティリティ・メータ（１０２，２２２，２２４，２２６，２２８）へ直接移転させる、請求項１記載のシステム。
【請求項３】
前記フィーチャー・ライセンス（２３０）を前記第１のユーティリティ・メータ（１０２，２２２，２２４，２２６，２２８）から前記第２のユーティリティ・メータ（１０２，２２２，２２４，２２６，２２８）へ移転させる前記行為が、更に、
前記選択されたフィーチャー・ライセンス（２３０）を前記第１のユーティリティ・メータ（１０２，２２２，２２４，２２６，２２８）について無効にする行為、及び
前記選択されたフィーチャー・ライセンス（２３０）を前記第２のユーティリティ・メータ（１０２，２２２，２２４，２２６，２２８）について有効にする行為
を含んでいる、請求項１記載のシステム。
【請求項４】
更に、前記演算装置（２１０，４００，４０２，４１４）に動作可能に接続されたユーザー・インターフェース（２１２，４１６，４２０，４３０，５００，６００）を有している請求項１記載のシステム。
【請求項５】
前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る前記行為が更に、
前記第１のユーティリティ・メータ（１０２，２２２，２２４，２２６，２２８）にインストールされている第１の組のフィーチャー・ライセンス（２３０）を前記ユーザー・インターフェース（２１２，４１６，４２０，４３０，５００，６００）上に表示する行為、
前記第２のユーティリティ・メータ（１０２，２２２，２２４，２２６，２２８）にインストールされている第２の組のフィーチャー・ライセンス（２３０）を前記ユーザー・インターフェース（２１２，４１６，４２０，４３０，５００，６００）上に表示する行為、及び
前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）を選択するようにユーザーに催促する行為、
を含んでいる、請求項４記載のシステム。
【請求項６】
前記ユーザー・インターフェース（２１２，４１６，４２０，４３０，５００，６００）は更に、前記第１のユーティリティ・メータ（１０２，２２２，２２４，２２６，２２８）について有効にされる任意のフィーチャー・ライセンス（２３０）及び前記第２のユーティリティ・メータ（１０２，２２２，２２４，２２６，２２８）について有効にされる任意のフィーチャー・ライセンス（２３０）を比較して表示するように構成されている、請求項５記載のシステム。
【請求項７】
前記演算装置（２１０，４００，４０２，４１４）は更に、前記第１のユーティリティ・メータ（１０２，２２２，２２４，２２６，２２８）と前記第２のユーティリティ・メータ（１０２，２２２，２２４，２２６，２２８）との間で複数のフィーチャー・ライセンス（２３０）を移転させるように構成されている、請求項１記載のシステム。
【請求項８】
コンピュータ読取り可能な媒体（１０６，１１４，２１０，２２０，４００，４０２，４１２，４２２）に格納されたプログラム製品であって、第１のユーティリティ・メータ（１０２，２２２，２２４，２２６，２２８）及び第２のユーティリティ・メータ（１０２，２２２，２２４，２２６，２２８）に通信接続された少なくとも１つの演算装置（２１０，４００，４０２，４１４）によって実行されたとき、次の行為、すなわち、
（イ）  前記第１のユーティリティ・メータ（１０２，２２２，２２４，２２６，２２８）及び前記第２のユーティリティ・メータ（１０２，２２２，２２４，２２６，２２８）についてのフィーチャー・ライセンス・データ（４３４）を取得する行為、
（ロ）  前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る行為、
（ハ）  前記選択されたフィーチャー・ライセンス（２３０）を前記第１のユーティリティ・メータ（１０２，２２２，２２４，２２６，２２８）について無効にする行為、及び
（ニ）  前記選択されたフィーチャー・ライセンス（２３０）を前記第２のユーティリティ・メータ（１０２，２２２，２２４，２２６，２２８）について有効にする行為
を遂行するプログラム製品。
【請求項９】
前記フィーチャー・ライセンス（２３０）は、ユーティリティ・ネットワーク（２２０）を介して前記第１のユーティリティ・メータ（１０２，２２２，２２４，２２６，２２８）から前記第２のユーティリティ・メータ（１０２，２２２，２２４，２２６，２２８）へ直接移転させる、請求項８記載のプログラム製品。
【請求項１０】
第１のユーティリティ・メータ（１０２，２２２，２２４，２２６，２２８）及び第２のユーティリティ・メータ（１０２，２２２，２２４，２２６，２２８）に通信接続されたネットワーク（２２０）と、
前記ネットワーク（２２０）に通信接続された演算装置（２１０，４００，４０２，４１４）であって、次の行為、すなわち、
（イ）  前記第１のユーティリティ・メータ（１０２，２２２，２２４，２２６，２２８）にインストールされている第１の組のフィーチャー・ライセンス（２３０）を決定する行為、
（ロ）  前記第２のユーティリティ・メータ（１０２，２２２，２２４，２２６，２２８）にインストールされている第２の組のフィーチャー・ライセンス（２３０）を決定する行為、
（ハ）  前記第１のユーティリティ・メータ（１０２，２２２，２２４，２２６，２２８）から前記第２のユーティリティ・メータ（１０２，２２２，２２４，２２６，２２８）へ移転させるべきフィーチャー・ライセンス（２３０）の選択を受け取る行為、
（ニ）  前記選択されたフィーチャー・ライセンス（２３０）を前記第１のユーティリティ・メータ（１０２，２２２，２２４，２２６，２２８）について無効にする行為、並びに
（ホ）  前記選択されたフィーチャー・ライセンス（２３０）を前記第２のユーティリティ・メータ（１０２，２２２，２２４，２２６，２２８）について有効にする行為
を遂行することによって、前記第１のユーティリティ・メータ（１０２，２２２，２２４，２２６，２２８）と前記第２のユーティリティ・メータ（１０２，２２２，２２４，２２６，２２８）との間でフィーチャー・ライセンス（２３０）を直接移転させるように構成されている当該演算装置（２１０，４００，４０２，４１４）と、
を含んでいるシステム（２００，２０７，４００，４０２）。
【発明の詳細な説明】
【技術分野】
【０００１】
本書に開示される内容は、一般的に云えば、メータ技術に関し、より詳しく云えば、複数のユーティリティ・メータの間でのフィーチャー・ライセンス(feature license) の移転(transfer)についての管理システムに関するものである。
【背景技術】
【０００２】
或るユーティリティ会社、例えば、電気又はガス供給会社は、所与の場所又は消費者によって消費されているサービス（例えば、電気）の量を調整及び／又は記録するためにユーティリティ・メータを用いている。これらのユーティリティ・メータの設計では、メータの機能性及び多用性を増大させて、消費者及びユーティリティ会社に様々なフィーチャー（追加機能）を与える多数のハードウエア／ファームウエア構成要素（コンポーネント）を含んでいる。これらの構成要素並びにそれらが提供するフィーチャーにアクセスして使用することは、フィーチャー・ライセンス、フィーチャー・キー、ソフト・キー、ソフト・スイッチなどによって、各々のユーティリティ・メータ上で制限及び／又は制御されている。これらのフィーチャー・ライセンスは、一般に、各ユーティリティ・メータで利用可能な様々なフィーチャーの使用（すなわち、認可されたアクセス、フィーチャー・アクセスについての適切な支払いなど）を可能にするためにユーティリティ・メータにインストールされているファームウエアを含んでいる。しかしながら、フィーチャー・ライセンスの維持及びインストールにはライセンス・プールの使用が含まれており、該ライセンス・プールから、各ユーティリティ・メータへ選択的にアップロードすべきメモリ装置へ、ライセンスが交換される。スマート・カード／ハードウエア・ドングル(dongle)のようなメモリ装置は、フィーチャー・ライセンス移転プロセスにおける中間手段として作用する。スマート・カードは、ライセンス・プールからフィーチャー・ライセンスを取得した後、ソフトウエア及びスマート・カード読取り器を介して該フィーチャー・ライセンスをユーティリティ・メータへ移転するための場所へ物理的に運ばれる。現在のフィーチャー・ライセンス移転プロセスに必要とされる多数の処理段階及び中間の装置は、移転を遅くし、複雑にし、コストを増大させるように作用する。
【０００３】
図１を参照して説明すると、既知の電子式ユーティリティ・メータ１０２の概略図をハードウエア構成要素と共に示している。図１に例示した電子式ユーティリティ・メータ１０２は、既知の電子式積算電力計であって、複数の端子板１０４と、メータ基盤１０６と、複数の電位リンク１０８と、複数の変流器１１０と、サービスをオン／オフするためのスイッチ１１２と、複数の計量回路ブラケット１１６によって支持された計量回路１１４と、これらの構成要素を保護するためのカバー１１８と、スイッチ１１２を作動するユーザー・ボタン１２０とを含むことができる。計量回路１１４、電位リンク１０８、変流器１１０などのようなハードウエア構成要素を介して消費者／ユーザーに対して利用可能であるような様々なフィーチャーを、フィーチャー・ライセンスによって有効にし又は無効にすることができる。
【先行技術文献】
【特許文献】
【０００４】
【特許文献１】米国特許第７２１６１０８号
【発明の概要】
【０００５】
複数のユーティリティ・メータの間でのフィーチャー・ライセンスの移転を管理するためのシステム及び装置を開示する。一実施形態では、システムは、第１のユーティリティ・メータ及び第２のユーティリティ・メータに通信接続された演算装置(computing device)を含み、該演算装置は、次の行為、すなわち、（１）第１のユーティリティ・メータ及び第２のユーティリティ・メータについてのフィーチャー・ライセンス・データを取得する行為、（２）前記第１のユーティリティ・メータから前記第２のユーティリティ・メータへ移転させるべきフィーチャー・ライセンスの選択を受け取る行為、及び（３）前記選択されたフィーチャー・ライセンスを前記第１のユーティリティ・メータから前記第２のユーティリティ・メータへ移転させる行為を遂行することによって、前記第１のユーティリティ・メータと前記第２のユーティリティ・メータとの間でのフィーチャー・ライセンスの移転を管理するように構成される。
【０００６】
本発明の第１の面は、第１のユーティリティ・メータ及び第２のユーティリティ・メータに通信接続された演算装置であって、次の行為、すなわち、（１）第１のユーティリティ・メータ及び第２のユーティリティ・メータについてのフィーチャー・ライセンス・データを取得する行為、（２）前記第１のユーティリティ・メータから前記第２のユーティリティ・メータへ移転させるべきフィーチャー・ライセンスの選択を受け取る行為、及び（３）前記選択されたフィーチャー・ライセンスを前記第１のユーティリティ・メータから前記第２のユーティリティ・メータへ移転させる行為を遂行することによって、前記第１のユーティリティ・メータと前記第２のユーティリティ・メータとの間でのフィーチャー・ライセンスの移転を管理するように構成された当該演算装置を含んでいるシステムを提供する。
【０００７】
第２の面は、コンピュータ読取り可能な媒体に格納（記憶）されたプログラム製品であって、演算装置によって実行されたとき、次の行為、すなわち、（１）第１のユーティリティ・メータ及び第２のユーティリティ・メータについてのフィーチャー・ライセンス・データを取得し、（２）前記第１のユーティリティ・メータから前記第２のユーティリティ・メータへ移転させるフィーチャー・ライセンスを選択し、（３）前記選択されたフィーチャー・ライセンスを前記第１のユーティリティ・メータについて無効にし、（４）前記選択されたフィーチャー・ライセンスを前記第２のユーティリティ・メータについて有効にする行為を遂行するプログラム製品を提供する。
【０００８】
本発明の第３の面は、第１のユーティリティ・メータ及び第２のユーティリティ・メータに通信接続されたネットワークと、前記ネットワークに通信接続された演算装置であって、次の行為、すなわち、（１）前記第１のユーティリティ・メータにインストールされている第１の組のフィーチャー・ライセンスを決定する行為、（２）前記第２のユーティリティ・メータにインストールされている第２の組のフィーチャー・ライセンスを決定する行為、（３）前記第１のユーティリティ・メータから前記第２のユーティリティ・メータへ移転させるべきフィーチャー・ライセンスを選択する行為、（４）前記選択されたフィーチャー・ライセンスを前記第１のユーティリティ・メータから除去する行為、及び（５）前記選択されたフィーチャー・ライセンスを前記第２のユーティリティ・メータにインストールする行為を遂行することによって、前記第１のユーティリティ・メータと前記第２のユーティリティ・メータとの間でフィーチャー・ライセンスを直接移転させるように構成されている当該演算装置と、を含んでいるシステムを提供する。
【０００９】
本発明のこれらの及び他の特徴は、本発明の様々な実施形態を図示する添付の図面を参照した、本発明の様々な面についての下記の詳しい説明から一層容易に理解されよう。
【００１０】
ここで、図面は縮尺通りになっていないことに留意されたい。図面は本発明の典型的な面のみを示そうとしたものであり、従って、本発明の範囲を制限するものとして考えるべきではない。図面において、同様な参照数字は同様な要素を表す。
【図面の簡単な説明】
【００１１】
【図１】図１は、既知の電力計を例示する概略図である。
【図２】図２は、本発明の一実施形態に従った管理システムを含む環境を例示する概略図である。
【図３】図３は、本発明の実施形態に従った方法のプロセスを例示する流れ図である。
【図４】図４は、本発明の一実施形態に従った管理システムを含む環境を例示する概略図である。
【図５】図５は、本発明の実施形態に従ったユーザー・インターフェースを例示する概略図である。
【図６】図６は、本発明の実施形態に従ったユーザー・インターフェースを例示する概略図である。
【発明を実施するための形態】
【００１２】
前に述べたように、本発明の様々な面では、複数のユーティリティ・メータの間でのフィーチャー・ライセンスの移転を可能にするように構成されたシステム及び装置を提供する。演算装置が、発信元のユーティリティ・メータ及び宛先のユーティリティ・メータのいずれか又は両方に接続することができるように構成される。演算装置は、発信元のユーティリティ・メータと宛先のユーティリティ・メータとの間の接続を介して、ユーザー／技術者が両メータ間でのフィーチャー・ライセンスの移転を管理できるようにすることができる。フィーチャー・ライセンスは、ユーティリティ・ネットワーク、ローカル・ネットワーク、直列接続、ユニバーサル・シリアル・バス（ＵＳＢ）ポート、光学式ポート、無線周波（ＲＦ）リンク、伝送制御プロトコル／インターネット・プロトコル（ＴＣＰ／ＩＰ）接続、マイクロ波アクセス用世界的相互運用規格（ＷｉＭａｘ）接続、或いは当該技術分野で知られている任意の他の形態の接続又はそれらの接続の組合せを介して、移転させることができる。本発明の様々な面を利用する結果として、ユーティリティ会社及び／又はユーザーは、既存のユーティリティ・メータの間でフィーチャー・ライセンスを直接移転させることによって、既存のユーティリティ・メータを素早くアップグレード又は更新することが可能である。
【００１３】
計量サービス及びシステムの技術分野では、サービス消費を追跡し記録するためにユーティリティ・メータ（例えば、電気メータ、スマート・メータ、電力計、ガス・メータなどが含まれる）が使用される。最近、これらのユーティリティ・メータ上で利用可能であるフィーチャー及び機能が増加し始めている。これらのフィーチャーに対するアクセスは、各ユーティリティ・メータ上でフィーチャー・ライセンス／キーによって制御され、それらのフィーチャー・ライセンス／キーはユーティリティ会社がエネルギ・メータ製造者から取得／購入する。消費者／ユーザーについてのサービス計画の変更に応答して、ユーティリティ会社のための技術者は、ユーティリティ・メータからメモリ装置を介してフィーチャー・ライセンスをアップロード又はダウンロードすることができる。これによって、ユーティリティ・メータ上の特定のフィーチャー及び機能を有効又は無効にすることができる。しかしながら、フィーチャー・ライセンスの移転には、多数の装置の間でデータ及びフィーチャー・ライセンスの多数の交換を必要とする。ライセンス・プールとユーティリティ・メータとの間でフィーチャー・ライセンスを移送するために中間手段としてメモリ装置が使用されると、移転のコスト及び複雑さが増大する。メモリ装置は購入及び維持するためのコストが高くなることがあり、また、メモリ装置の使用には、フィーチャー・ライセンスをメモリ装置に書き込み及び読み出すことが必要であり、これは符号化プロセスを複雑化することがある。更に、ユーザー／技術者は、フィーチャー・ライセンスの各移転を監視すること、また場合によっては、移転を完了するようにメモリ装置を物理的に除去及び／又は接続することが要求される。
【００１４】
この従来のシステムとは対照的に、本発明の様々な実施形態では、複数のユーティリティ・メータの間で直接的にフィーチャー・ライセンスを移転するのを容易にするシステムを提供する。本システムは、複数のユーティリティ・メータに通信接続される演算装置を含む。演算装置は、宛先のユーティリティ・メータに移転させるべきフィーチャー・ライセンスを持っている発信元のユーティリティ・メータと、該宛先のユーティリティ・メータとを識別（特定）するように構成される。この識別が行われると、演算装置は発信元のユーティリティ・メータから宛先のユーティリティ・メータへのフィーチャー・ライセンスの移転を監視して、発信元のユーティリティ・メータからフィーチャー・ライセンスを除去し／無効にし、且つ宛先のユーティリティ・メータにフィーチャー・ライセンスをインストールし／有効にする。フィーチャー・ライセンスが複数のユーティリティ・メータの間で直接に移転されるので、符号化プロセスが簡単化され、ユーザー／技術者の関与が最少にされ、またメモリ装置のような中間手段の使用が排除される。
【００１５】
当業者に理解されるように、本書で述べる管理システムは、システム、方法又はコンピュータ・プログラム製品として、例えば、ユーティリティ・ネットワーク・システム、ユーティリティ・ネットワーク、ユーティリティ・メータなどの一部として、具体化することができる。従って、本発明の様々な実施形態は、全てハードウエアの実施形態、全てソフトウエアの実施形態（ファームウエア、常駐のソフトウエア、マイクロコードなどを含む）、又はソフトウエアとハードウエアとを組み合わせた実施形態の形を取ることができ、これらは全て一般的に「回路」、「モジュール」、「ネットワーク」又は「システム」と呼ぶことができる。また更に、本発明は、任意の有形の表現媒体において具現化されたコンピュータ・プログラム製品の形を取ることができ、該コンピュータ・プログラム製品は、媒体中に具現化されたコンピュータ使用可能なプログラム・コードを持つ。
【００１６】
１つ以上のコンピュータ使用可能な又はコンピュータ読取り可能な媒体の任意の組合せを利用することができる。コンピュータ使用可能な又はコンピュータ読取り可能な媒体は、例えば、限定するものではないが、電子、磁気、光学、電磁、赤外線又は半導体システム、機器又は装置とすることができる。コンピュータ読取り可能な媒体のより具体的な例（全てを網羅するものではない）としては、１つ以上のワイヤを持つ電気接続、ポータブル・コンピュータ・ディスケット、ハードディスク、ランダム・アクセス・メモリ（ＲＡＭ）、読出し専用メモリ（ＲＯＭ）、消去可能でプログラム可能な読出し専用メモリ（ＥＰＲＯＭ又はフラッシュ・メモリ）、光学繊維、ポータブル・コンパクト・ディスク読出し専用メモリ（ＣＤ−ＲＯＭ）、光学記憶装置、（インターネット又はイントラネットを支えるもののような）伝送媒体、或いは磁気記憶装置が挙げられよう。ここで、コンピュータ使用可能な又はコンピュータ読取り可能な媒体は、プログラムが印刷された紙などの適当な媒体であってもよく、そのプログラムは、例えば紙などの媒体の光学的走査により、電子的に取得し、次いで、必要な場合は、適当な態様でコンパイル、解釈又はその他の処理を行い、次いでコンピュータ・メモリに格納（記憶）することができることに留意されたい。本明細書との関連において、コンピュータ使用可能な又はコンピュータ読取り可能な媒体は、命令実行システム、機器又は装置によって使用するために、或いはそれらに関連して、プログラムを内蔵し、格納し、通信し、又は輸送することのできる任意の媒体であってよい。コンピュータ使用可能な媒体には、ベースバンドで又は搬送波の一部として、それによって具現化されるコンピュータ使用可能なプログラム・コードを持つ伝播データ信号を含めることができる。コンピュータ使用可能なプログラム・コードは、限定するものではないが、無線、ワイヤ線路、光学繊維ケーブル、ＲＦなどを含む任意の適切な媒体を使用して、伝送することができる。
【００１７】
本発明の動作を実行するためのコンピュータ・プログラム・コードは、オブジェクト指向プログラミング言語（例えば、ジャバ、スモールトーク、Ｃ＋＋など）及び通常の手続き型プログラミング言語（例えば、「Ｃ」プログラミング言語又は同様なプログラミング言語）を含む１つ以上のプログラミング言語の任意の組合せで記述することができる。プログラム・コードは、ユーザーのコンピュータで全て、又はユーザーのコンピュータで部分的に、又は自立型ソフトウエア・パッケージとして、又はユーザーのコンピュータと遠隔のコンピュータとでそれぞれ部分的に、或いは遠隔のコンピュータ又はサーバーで実行することができる。後者のシナリオでは、遠隔のコンピュータは、ローカル・エリア・ネットワーク（ＬＡＮ）又は広域ネットワーク（ＷＡＮ）を含む任意の種類のネットワークを介して、ユーザーのコンピュータに接続することができ、或いは該接続は（例えば、インターネット・サービス・プロバイダを利用してインターネットを介して）外部のコンピュータに対して行うことができる。
【００１８】
これらのコンピュータ・プログラム命令はまた、コンピュータ又は他のプログラム可能なデータ処理装置に特定の態様で機能するように指令することのできるコンピュータ読取り可能な媒体に格納することができ、これにより、コンピュータ読取り可能な媒体に格納された命令によって、ブロック図中のブロック（１つ又は複数）において指定された機能／行為を具現化する命令手段を含む製品が作られるようにすることができる。
【００１９】
コンピュータ・プログラム命令はまた、コンピュータ又は他のプログラム可能なデータ処理装置にロードして、一連の動作段階を該コンピュータ又は他のプログラム可能な装置で遂行させることにより、コンピュータ具現化プロセスを生成することができ、これにより、該コンピュータ又は他のプログラム可能な装置で実行される命令が、流れ図及び／又はブロック図中のブロック（１つ又は複数）において指定された機能／行為を具現化するためのプロセスを提供するようにすることができる。
【００２０】
次に図面について説明すると、複数のユーティリティ・メータの間でのフィーチャー・ライセンスの移転を容易にするフィーチャー・ライセンス管理システムの様々な実施形態が示されている。図中の各々の構成要素は、図２乃至図６に示されているような、通常の手段を介して、例えば、無線網、ＷｉＦｉ、電力線通信、セルラー通信、無線周波リンク、ＷｉＭａｘ、光学ポート、ＵＳＢポート又は他の既知の手段を介して、接続することができる。具体的に述べると、図２には、一実施形態のフィーチャー・ライセンス管理システム２００の概略図が示されている。フィーチャー・ライセンス管理システム２００は、ユーティリティ・メータ２２２及びユーティリティ・メータ２２４に通信接続された演算装置２１０上に設けられた管理システム２０７を含むことができる。ユーティリティ・メータ２２２及びユーティリティ・メータ２２４は、電気メータ、水道メータ、ガス・メータ、スマート・メータ、又は当該技術分野で知られている任意の他の形式のユーティリティ・メータを有することができる。ユーティリティ・メータ２２２及びユーティリティ・メータは、結合手段、ネットワーク、通信チャンネルなどを介して、相互接続してもしなくてもよい。管理システム２０７は、ユーティリティ・メータ２２２を発信元として選択し且つユーティリティ・メータ２２４へ移転させるべきユーティリティ・メータ２２２上のフィーチャー・ライセンス２３０を識別（特定）するように、演算装置２１０に指令することができる。フィーチャー・ライセンス２３０は、一組の相異なる又は相互に関連したフィーチャー・ライセンス／キーを含むことができる。演算装置２１０は、次いで、フィーチャー・ライセンス２３０をユーティリティ・メータ２２２からユーティリティ・メータ２２４へ移転させることができる。一実施形態では、演算装置２１０は、フィーチャー・ライセンス２３０をユーティリティ・メータ２２２からユーティリティ・メータ２２４へ移転させるため又は移転を可能にするためにネットワーク２２０を用いることができる。一実施形態では、演算装置２１０は、ネットワーク２２０を介して、ユーティリティ・メータ２２２からユーティリティ・メータ２２４へフィーチャー・ライセンス２３０を直接移転させることができる。ネットワーク２２０は、高度計量インフラストラクチャ（ＡＭＩ）、ユーティリティ・ネットワーク、近隣区域ネットワーク（ＮＡＮ）、ローカル・エリア・ネットワーク（ＬＡＮ）、又は当該分野で知られている任意の他の形式のネットワークの内のいずれかを含むことができる。本発明のこの実施形態では、演算装置２１０は、ユーティリティ・メータ２２２上のフィーチャー・ライセンス２３０を無効にし且つユーティリティ・メータ２２４上のフィーチャー・ライセンス２３０を有効にすることができる。
【００２１】
本発明の一実施形態では、演算装置２１０はユーザー・インターフェース（ＵＩ）２１２を含むことができる。一実施形態では、ＵＩ２１２は、管理システム２０７によって生成することができる。ＵＩ２１２は、グラフィカル・ユーザー・インターフェース（ＧＵＩ）を含むことができる。一実施形態では、ユーザーは、ＵＩ２１２を介して、各ユーティリティ・メータのそれぞれのアドレスを入力することによって、或いは利用可能なユーティリティ・メータのデータベースから各ユーティリティ・メータを選択することによって、発信元のユーティリティ・メータ２２２及び宛先のユーティリティ・メータ２２４を選択することができる。一実施形態では、演算装置２１０は、ユーティリティ・メータ２２２及びユーティリティ・メータ２２４のいずれか又は両方にインストールされているフィーチャー・ライセンス２３０をＵＩ２１２上に表示させることができる。別の実施形態では、演算装置２１０は、ユーティリティ・メータ２２２及びユーティリティ・メータ２２４の両方についての全てのフィーチャー・ライセンス２３０をＵＩ２１２上に比較して表示させることができ、それらのフィーチャー・ライセンス２３０はユーザーが見て比較できるように並べて一覧表示する。一実施形態では、演算装置２１０は、ＵＩ２１２を介して、ユーティリティ・メータ２２２からユーティリティ・メータ２２４へ移転させるべきフィーチャー・ライセンス２３０を選択するオプションをユーザーに提供することができる。一実施形態では、演算装置２１０は、ＵＩ２１２を介してユーザーの選択を受け取って、ユーザーの選択に応答してフィーチャー・ライセンス２３０を移転させることができる。別の実施形態では、演算装置２１０は、フィーチャー・ライセンス２３０を移転させる前にユーティリティ・メータ２２２とユーティリティ・メータ２２４との間でのフィーチャー・ライセンス２３０の移転を承認するためのプロンプト（入力催促記号）をＵＩ２１２上に生じさせることができる。別の実施形態では、ＵＩ２１２ は、ユーティリティ・メータ２２２及びユーティリティ・メータ２２４についての更新されたフィーチャー・ライセンス２３０を表示する。別の実施形態では、演算装置２１０は、ユーティリティ・メータ２２６、ユーティリティ・メータ２２８、ユーティリティ・メータ２２２及びユーティリティ・メータ２２４の内のいずれかの間でフィーチャー・ライセンス２３０を移転させることができる。一実施形態では、ユーティリティ・メータ２２２、ユーティリティ・メータ２２４、ユーティリティ・メータ２２６及びユーティリティ・メータ２２８の内のいずれも、それに含まれているフィーチャー・ライセンス２３０を表示することができる。別の実施形態では、ＵＩ２１２は、ユーティリティ・メータ２２６、ユーティリティ・メータ２２８、ユーティリティ・メータ２２２及びユーティリティ・メータ２２４の内のいずれかの間で移転させるべき任意の数のフィーチャー・ライセンス２３０をユーザーが選択できるようにすることができる。一実施形態では、ＵＩ２１２は、演算装置２１０から離れた場所に配置することができる。別の実施形態では、ＵＩ２１２及び演算装置２１０は、ユ��ティリティ・メータ２２６、ユーティリティ・メータ２２８、ユーティリティ・メータ２２２及びユーティリティ・メータ２２４のいずれからも離れた場所に配置することができる。別の実施形態では、演算装置２１０及びＵＩ２１２は、ユーティリティ・メータ２２２のある場所に配置して、ユーティリティ・メータ２２４、ユーティリティ・メータ２２６及びユーティリティ・メータ２２８の内のいずれかへのフィーチャー・ライセンス２３０の移転を管理するように構成することができる。当然ことながら、ユーティリティ・メータ２２２、２２４、２２６及び２２８の各々は、ソフトウエアにおいて同じ又は実質的に異なる通信経路／通信媒体（例えば、直列通信、ＴＣＰ／ＩＰ通信など）を介して、ネットワーク２２０に及び／又は互いに接続することができる。
【００２２】
いずれの場合においても、演算装置２１０は、ユーザーによってインストールされたコンピュータ・プログラム・コードを実行する任意の汎用演算（コンピューティング）製品（例えば、パーソナル・コンピュータ、サーバー、手持ち型装置など）で構成することができる。とは云え、演算装置２１０、グラフィカル・ユーザー・インターフェース２１２、ユーティリティ・メータ２２６、ユーティリティ・メータ２２８、ユーティリティ・メータ２２２及びユーティリティ・メータ２２４が、本書で開示する様々な処理段階を遂行することのできる様々な考え得る等価な演算装置の内の代表的なものに過ぎないことが理解されよう。これに関して、他の実施形態では、演算装置２１０は、特定の機能を遂行するためのハードウエア及び／又はコンピュータ・プログラム・コードを有する任意の特定目的の演算製品、或いは特定目的及び汎用のハードウエア／ソフトウエアの組合せを有する任意の演算製品などで構成することができる。いずれの場合も、プログラム・コード及びハードウエアは、標準的なプログラミング及びエンジニアリング技術をそれぞれ用いて作成することができる。
【００２３】
次に図３について説明すると、本発明の実施形態に従った方法を例示する流れ図が示されている。前処理段階Ｐ０において、ユーティリティ・メータ２２２、２２４、２２６及び２２８のいずれかの間でフィーチャー・ライセンス２３０の移転を始めるために演算装置２１０で管理システムが起動される。すなわち、演算装置２１０は、ユーティリティ・メータ２２２、２２４、２２６及び２２８のいずれかの間でフィーチャー・ライセンス２３０を移転させるためのプロンプトに応答して、計画的な移転か又はユーザーの指令による移転のいずれかを遂行することができる。前処理段階Ｐ０に続く処理段階Ｐ１において、演算装置２１０は第１のユーティリティ・メータ２２２に接続され、第１のユーティリティ・メータ２２２は発信元のユーティリティ・メータ２２２として作用する。処理段階Ｐ１に続く処理段階Ｐ２において、演算装置２１０は第２のユーティリティ・メータ２２４に接続され、第２のユーティリティ・メータ２２４は宛先のユーティリティ・メータ２２４として作用する。第１のユーティリティ・メータ２２２及び第２のユーティリティ・メータ２２４は、コンピュータ・データベース、ユーザーの知識、在庫問合せ、フィーチャー・ライセンス記録又は既知のような任意の他の形式のフィーチャー・ライセンス追跡システムのいずれかに基づいて、発信元のメータ及び宛先のメータとしてそれぞれ選ぶことができる。第１のユーティリティ・メータ２２２は、メータ・ライセンス２３０をそこから除去して、宛先のメータすなわち第２のユーティリティ・メータ２２４にインストールすべきであるので、発信元のメータとして識別することができる。処理段階Ｐ２に続く処理段階Ｐ３において、演算装置２１０は、フィーチャー・ライセンス・データ（これには、限定するものではないが、フィーチャー・ライセンス識別番号、フィーチャー・ライセンス活性化状態（有効又は無効状態）、フィーチャー・ライセンス適合性、メータ（１つ又複数）構成設定テーブル、ソフトウエア構成設定テーブルなどが含まれる）を第１のユーティリティ・メータ２２２及び第２のユーティリティ・メータ２２４から取得して、該メータについてのフィーチャー・ライセンス２３０を読み取る。すなわち、演算装置２１０は第１のユーティリティ・メータ２２２及び第２のユーティリティ・メータ２２４と通信して、各ユーティリティ・メータにインストールされているフィーチャー・ライセンス２３０についてのデータを取得する。処理段階Ｐ３の後の処理段階Ｐ４において、演算装置２１０は、第１のユーティリティ・メータ２２２及び第２のユーティリティ・メータ２２４のいずれか又は両方にインストールされているフィーチャー・ライセンス２３０をＵＩ２１２上に表示する。処理段階Ｐ４に続く処理段階Ｐ５において、演算装置２１０は、ユーザーが第１のユーティリティ・メータ２２２から第２のユーティリティ・メータ２２４へ移転させるフィーチャー・ライセンス２３０を選択するためのオプション又はプロンプトをＵＩ２１２上に提供する。
【００２４】
処理段階Ｐ５の後の処理段階Ｐ６において、ユーザーによって、第１のユーティリティ・メータ２２２から第２のユーティリティ・メータ２２４へ移転させるフィーチャー・ライセンス２３０を選択する。一実施形態では、ユーザーは、ＵＩ２１２上のフィーチャー・ライセンス２３０の次に図形表示されたボックスにチェックマークを付けることによって、フィーチャー・ライセンス２３０を選択することができる。処理段階Ｐ６に続く処理段階Ｐ７において、一旦ユーザーが移転させるべきフィーチャー・ライセンス２３０を選択すると、演算装置２１０は、ユーザーによる移転の承認のための承認プロンプトをＵＩ２１２上に提供する。処理段階Ｐ７に続く処理段階Ｐ８において、ユーザーによりフィーチャー・ライセンス２３０の移転を承認する。処理段階Ｐ８の後の処理段階Ｐ９において、演算装置２１０は第１のユーティリティ・メータ２２２上のフィーチャー・ライセンス２３０を無効にし且つ第２のユーティリティ・メータ２２４上のフィーチャー・ライセンス２３０を有効にする。一実施形態では、フィーチャー・ライセンス２３０は最初に第１のユーティリティ・メータ２２２で無効にし、次いで第２のユーティリティ・メータ２２４で有効にすることができる。別の実施形態では、フィーチャー・ライセンス２３０は最初に第２のユーティリティ・メータ２２４で有効にし、次いで第１のユーティリティ・メータ２２２で無効にすることができる。別の実施形態では、フィーチャー・ライセンス２３０は実質的に同時に第１のユーティリティ・メータ２２２で無効にし且つ第２のユーティリティ・メータ２２４で有効にすることができる。いずれの場合でも、処理段階Ｐ９に続く処理段階Ｐ１０において、演算装置２１０は、第１のユーティリティ・メータ２２２及び第２のユーティリティ・メータ２２４の更新されたフィーチャー・ライセンスをＵＩ２１２上に表示する。処理段階Ｐ１０の後の処理段階Ｐ１１において、プログラムは終了する。
【００２５】
図面に示しているデータ流れ図及びブロック図は、本発明の様々な実施形態に従ったシステム、方法及びコンピュータ・プログラム製品の可能性のある具現化例のアーキテクチャ、機能及び動作を例示する。これに関して、流れ図又はブロック図における各ブロックは、指定された論理機能を具現化するための１つ以上の実行可能な命令を有するコードのモジュール、セグメント又は部分を表すことができる。また、ブロック中に記載された機能が図に示した順序から異なっていてもよいことに留意されたい。例えば、相次いで示された２つのブロックは、実際に、ほぼ同時に実行することができ、或いは、図示のブロックを、関連する機能に応じて、逆の順序で実行する場合もある。また、ブロック図及び／又は流れ図に示した各ブロック、並びにブロック図及び／又は流れ図に示したブロックの組合せは、指定された機能又は行為を遂行する専用のハードウエアに基づいたシステム、或いは専用のハードウエア及びコンピュータ命令の組合せによって具現化できることに留意されたい。
【００２６】
図４について説明すると、本発明の実施形態に従った管理システム２０７を含む環境４００が例示されている。環境４００は、本書で述べる様々な処理を遂行することのできるコンピュータ・インフラストラクチャ４０２を含む。詳しく述べると、コンピュータ・インフラストラクチャ４０２は、管理システム２０７を持つ演算装置２１０を含むものとして示されている。管理システム２０７は、演算装置２１０が、開示した様々な処理段階を遂行することによってユーティリティ・メータ２２２とユーティリティ・メータ２２４との間でのフィーチャー・ライセンスの移転を管理できるようにする。
【００２７】
前に述べたように且つ以下に説明するように、管理システム２０７は、とりわけ、本書で述べたフィーチャー・ライセンス管理機能を遂行するように演算装置２１０を動作させると云う技術的効果を持つ。図４に示された様々な構成要素の内の幾つかは、独立に具現化し、及び／又は組み合わせ、及び／又は演算装置２１０内に含まれている１つ以上の別々の演算装置のためのメモリに格納することができることが理解されよう。更に、構成要素及び／又は機能の幾つかは具現化できないこと、或いは追加のスキーマ及び／又は機能をフィーチャー・ライセンス管理システム２００の一部として含めることができることが理解されよう。
【００２８】
演算装置２１０は、メモリ４１２、プロセッサ・ユニット（ＰＵ）４１４、入出力（Ｉ／Ｏ）インターフェース４１６、及び母線４１８を含むものとして示されている。更に、演算装置２１０は、外部入出力（Ｉ／Ｏ）装置／資源４２０及び記憶システム４２２と通信するものとして示されている。当該分野で知られているように、一般に、プロセッサ４１４は、メモリ４１２及び／又は記憶システム４２２に格納されているコンピュータ・プログラム・コード（例えば、管理システム２０７）を実行する。コンピュータ・プログラム・コードを実行しながら、プロセッサ４１４は、グラフィカル・ユーザー・インターフェース４３０及び／又はフィーチャー・ライセンス・データ４３４のようなデータを、メモリ４１２、記憶システム４２２、及び／又はＩ／Ｏインターフェース４１６から読取り及び／又はそれらへ書き込むことができる。母線４１８は、演算装置２１０内の構成要素の各々の間の通信リンクを提供する。Ｉ／Ｏ装置４２０は、ユーザーが演算装置２１０と相互作用できるようにする任意の装置、或いは演算装置２１０が１つ以上の他の演算装置と通信できるようにする任意の装置で構成することができる。入出力装置（これには、限定するものではないが、キーボード、表示装置、ポインティング装置などが含まれる）は、システムに直接に又はＩ／Ｏ制御装置を介在させて結合することができる。
【００２９】
実施形態によっては、図４に示されているように、環境４００は、オプションとして、（例えば、無線又は有線手段により）演算装置２１０を介して管理システム２０７に通信接続されたユーティリティ・メータ２２２、ユーティリティ・メータ２２４及びネットワーク２２０を含むことができる。実施形態によっては、演算装置２１０及び／又は管理システム２０７はユーティリティ・メータ２２２及び／又はユーティリティ・メータ２２４上又は内に配置することができる。
【００３０】
次に図５について説明すると、本発明の実施形態に従ったユーザー・インターフェース（ＵＩ）５００を例示する概略図である。ＵＩ５００は、発信元のユーティリティ・メータについての第１のメータ識別フィールド５０２及び宛先のユーティリティ・メータについての第２のメータ識別フィールド５０４を含み、これらの識別フィールド５０２及び識別フィールド５０４は、演算装置２１０をどのユーティリティ・メータに接続するかを表示するためのものである。これらのフィールドは、知られているように、メータＩＰアドレス、メータＩＤ、メータ・シリアル番号又は他の知られている識別機能を表示することができる。ＵＩ５００上の識別フィールド５０２及び識別フィールド５０４の下にはフィーチャー・ライセンス一覧表示ウィンドウ５２２及びフィーチャー・ライセンス一覧表示ウィンドウ５２４を配置することができる。フィーチャー・ライセンス一覧表示ウィンドウ５２２及び５２４は、演算装置２１０に接続されているユーティリティ・メータのフィーチャー・ライセンスの内容を表示する。ここで、図５のフィーチャー・ライセンス一覧表示ウィンドウ５２２及び５２４に示されているフィーチャー・ライセンスは代表例であり、またフィーチャー・ライセンス一覧表示ウィンドウ５２２及び５２４には任意の既知のフィーチャー・ライセンスを表示できることが理解されよう。フィーチャー・ライセンス選択ボックス５２８を、フィーチャー・ライセンス一覧表示ウィンドウ５２２及びフィーチャー・ライセンス一覧表示ウィンドウ５２４の内のいずれか又は両方に設けることができる。フィーチャー・ライセンス選択ボックス５２８は、それぞれのユーティリティ・メータに含まれている各々のフィーチャー・ライセンスの傍に配置することができる。フィーチャー・ライセンス選択ボックス５２８は、ユーザーが移転すべきフィーチャー・ライセンスを個別に選択できるようにするためのものである。ＵＩ５００は更に、フィーチャー・ライセンス追加指令ボタン５１２、フィーチャー・ライセンス削除指令ボタン５１６、再ロード指令ボタン５１４及びコミット変更指令ボタン５１８を含むことができる。追加指令ボタン５１２及び削除指令ボタン５１６は、メータと一覧表示ウィンドウ５２２及び５２４との間でフィーチャー・ライセンスを移動させるためのものである。コミット変更指令ボタン５１８は、ユーティリティ・メータ相互間でのフィーチャー・ライセンス２３０の移転を承認／遂行するためのものである。再ロード指令ボタン５１４は、フィーチャー・ライセンス一覧表示ウィンドウ５２２及びフィーチャー・ライセンス一覧表示ウィンドウ５２４を更新するためのものである。これらの指令は、ユーザーがユーティリティ・メータ相互間で選択されたフィーチャー・ライセンスを移転できるようにする。図５は、ユーティリティ・メータ相互間で移転させる前の、発信元のユーティリティ・メータ及び宛先のユーティリティ・メータにインストールされている様々なフィーチャー・ライセンスを示している。これらのフィーチャー・ライセンスはユーティリティ・メータ間で分散されており、またフィーチャー・ライセンス一覧表示ウィンドウ５２２及びフィーチャー・ライセンス一覧表示ウィンドウ５２４に表示されている。図６について説明すると、本発明の実施形態に従ったユーザー・インターフェース（ＵＩ）６００を例示する概略図である。ＵＩ６００は、発信元のユーティリティ・メータと宛先のユーティリティ・メータとの間での移転が完了した後のフィーチャー・ライセンス一覧表示ウィンドウ５２２及びフィーチャー・ライセンス一覧表示ウィンドウ５２４を示している。
【００３１】
本書で開示したフィーチャー・ライセンス管理システムは、いずれの種類の特定のメータ、電気メータ、スマート・メータ、ネットワーク又は他のシステムに制限されず、また他のパワー及び通信システムに用いることができる。更に、本発明のフィーチャー・ライセンス管理システムは、本書で述べたフィーチャー・ライセンス管理システムによって提供されるフィーチャー・ライセンスの簡単化した確実な直接的移転による利益を得ることのできる、本書に述べていない他のシステムに用いることができる。
【００３２】
本書に述べたように、様々なシステム及び構成要素（コンポーネント）は、データ（例えば、ファームウエア、フィーチャー・ライセンス、フィーチャー・キー、ソフトウエアなど）を「取得」する及び／又は「移転」するとして記述した。その対応するデータは任意の問題解決手法を用いて得ることができることが理解されよう。例えば、対応するシステム／構成要素は、データを生成し及び／又はデータを生成するために使用し、１つ以上のデータ記憶装置又はセンサ（例えば、データベース）から検索し、別のシステム／構成要素からデータを受け取ること等を行うことができる。データが特定のシステム／構成要素によって生成されないとき、図示のシステム／構成要素とは別個に、データを生成して該システム／構成要素に供給し並びに／又は該システム／構成要素によってアクセスするためのデータを格納する別のシステム／構成要素を設けることができることが理解されよう。
【００３３】
本書で用いる用語は、特定の実施形態のみを記述するためのものであり、開示内容を制限しようとするものではない。本書において用いられる単数形の表現は、特に明記していない限り、複数の存在を含み得ることを意図している。更に、本書で用いられる用語「有する」及び／又は「有している」は、記述した特徴、整数、段階、動作、素子及び／又は構成要素の存在を明示しているが、１つ以上の他の特徴、整数、段階、動作、素子、構成要素及び／又はそれらの群の存在又は追加を排除するものではないことが理解されよう。
【００３４】
本明細書は、最良の実施形態を含めて、本発明を開示するために、また当業者が任意の装置又はシステムを作成し使用し、任意の採用した方法を遂行すること含めて、本発明を実施できるようにするために、様々な例を使用した。本発明の特許可能な範囲は「特許請求の範囲」の記載に定めており、また当業者に考えられる他の例を含み得る。このような他の例は、それらが「特許請求の範囲」の文字通りの記載から実質的に差異のない構造的要素を持つ場合、或いはそれらが「特許請求の範囲」の文字通りの記載から実質的に差異のない等価な構造的要素を含む場合、特許請求の範囲内にあるものとする。
【符号の説明】
【００３５】
１０２  電子式ユーティリティ・メータ
１０４  端子板
１０６  メータ基盤
１０８  電位リンク
１１０  変流器
１１２  スイッチ
１１４  計量回路
１１６  計量回路ブラケット
１１８  カバー
１２０  ユーザー・ボタン
２００  フィーチャー・ライセンス管理システム
２１２  ユーザー・インターフェース（ＵＩ）
２３０  フィーチャー・ライセンス
４００  環境
４０２  コンピュータ・インフラストラクチャ
４１２  メモリ
４１４  プロセッサ・ユニット
４１６  入出力（Ｉ／Ｏ）インターフェース
４１８  母線
４２０  外部入出力（Ｉ／Ｏ）装置／資源
４２２  記憶システム
４３０  グラフィカル・ユーザー・インターフェース
４３４  フィーチャー・ライセンス・データ
５００  ユーザー・インターフェース
５０２  第１のメータ識別フィールド
５０４  第２のメータ識別フィールド
５１２  フィーチャー・ライセンス追加指令ボタン
５１４  再ロード指令ボタン
５１６  フィーチャー・ライセンス削除指令ボタン
５１８  コミット変更指令ボタン
５２２  フィーチャー・ライセンス一覧表示ウィンドウ
５２４  フィーチャー・ライセンス一覧表示ウィンドウ
５２８  フィーチャー・ライセンス選択ボックス
６００  ユーザー・インターフェース
【図１】
2012239172.tif 000003
【図２】
2012239172.tif 000004
【図３】
2012239172.tif 000005
【図４】
2012239172.tif 000006
【図５】
2012239172.tif 000007
【図６】
2012239172.tif 000008
【外国語明細書】
2012239172000001.pdf